(57)【要約】【課題】  切替先の正常性を確認し、切替先が異常であれば光チャネル終端点を有する光ノードの切替は行わず、全体として安定した網的切替を可能にする。【解決手段】  本発明は、網的切替時に、光チャネルの切替先の光チャネル接続点を有するノードにおける経路の入れ替え設定を行い、経路の入れ替え設定が正常終了したことを確認した後に、両端の光チャネル終端点を有するノードにおける経路の入れ替えを行う。【選択図】  図１
2005033725.tif 000002
【特許請求の範囲】
【請求項１】
光チャネルが光チャネル終端点間に複数の光チャネル接続点を経由して接続され、
ノード間では複数の光チャネルが波長多重技術により伝送路に波長多重して伝達され、
光チャネル接続点を有するノードでは、波長毎に経路を入れ替えながら光チャネルが接続され、
両端の光チャネル終端点では、同一波長で光チャネルが接続され、
光チャネル単位で経路を再入れ替えすることで、該光チャネルを異なる経路に切り替える、及び、両端の光チャネル終端点では必要に応じて出力波長の設定を切り替える、網的切替機構を具備した波長多重通信網における網的切替方法において、
網的切替時に、
前記光チャネルの切替先の光チャネル接続点を有するノードにおける経路の入れ替え設定を行い、
前記経路の入れ替え設定が正常終了したことを確認した後に、両端の光チャネル終端点を有するノードにおける経路の入れ替えを行うこと、を特徴とする波長多重通信網における網的切替方法。
【請求項２】
前記両端の光チャネル終端点を有するノードにおける経路の入れ替え設定を行う前に、
切替先の光チャネルが両端の光チャネル終端点を有するノード間で、予め決められた光チャネルの品質を満たしているか否かをチェックし、
前記品質を満たしている場合に、両端の光チャネル終端点を有するノードにおける経路の入れ替え設定を行う請求項１記載の波長多重通信網における網的切替方法。
【請求項３】
光チャネル終端点を有するノードは、１組以上の切替先確認用光チャネル終端回路を備え、
前記光チャネルを有するノードの経路入れ替え設定の前に、両端の切替先確認用光チャネル終端回路間に切替確認用光チャネルを導通するノード設定を行い、
光チャネルで規定された品質を切替先確認用光チャネルで満たしているかを確認し、前記品質を満たしていることを確認した後に、前記光チャネル終端点を有するノードの経路入れ替えを行う請求項２記載の波長多重通信網における網的切替方法。
【請求項４】
前記光チャネル終端点を有するノードの経路入れ替え設定を行う際に、
前記網的切替の発動トリガである警報検出停止あるいは、オペレーションシステムへの警報通知停止を行った後に、
前記光チャネル終端点を有するノードにおける経路の入れ替えの設定を行い、
停止した警報検出あるいは、前記オペレーションシステムへの警報通知の停止を解除する請求項１乃至３記載の波長多重通信網における網的切替方法。
【請求項５】
前記光チャネル終端点を有するノードの経路入れ替え設定を行う際に、
前記経路入れ替え設定により、警報が検出され、オペレーションシステムに通知されることが自明な警報の警報検出停止あるいは、オペレーションシステムへの警報通知停止を行った後に、
光チャネル終端点を有するノードにおける経路の入れ替えの設定を行い、
停止設定した警報検出あるいは、前記オペレーションシステムへの警報通知停止を解除する請求項１乃至３記載の波長多重通信網における網的切替方法。
【請求項６】
光チャネルが光チャネル終端点間に複数の光チャネル接続点を経由して接続され、
ノード間では、複数の光チャネルが波長多重技術により伝送路に波長多重して伝達され、
光チャネル接続点を有するノードでは、波長毎に経路を入れ替えあるいは、必要に応じて出力波長を変更しながら光チャネルが接続され、
光チャネル単位で経路を再入れ替え及び必要に応じて出力波長を再設定することで、該光チャネルを異なる経路及び必要に応じて異なる波長に切り替える網的切替機構を具備した波長多重通信網における網的切替方法において、
網的切替時には、前記光チャネルの切替先の光チャネル接続点を有するノードにおける経路の入れ替え及び出力波長の設定を行い、
切替経路上の光チャネル接続点を有するノードのすべてにおいて、経路の入れ替え設定及び出力波長の設定が正常終了したことを確認した後に、両端の光チャネル終端点を有するノードにおける経路の入れ替え設定及び波長の設定を行うこと、を特徴とする波長多重通信網における網的切替方法。
【請求項７】
前記両端の光チャネル終端点を有するノードにおける経路の入れ替え設定及び前記出力波長の設定を行う前に、
切替先の光チャネルが両端の光チャネル終端点を有するノード間で、予め決められた光チャネルの品質を満たしているか否かをチェックし、
前記品質を満たしている場合に、前記両端の光チャネル終端点を有するノードにおける経路の入れ替え設定及び出力波長設定を行う請求項６記載の波長多重通信網における網的切替方法。
【請求項８】
前記光チャネル終端点を有するノードは、１組以上の切替先確認用光チャネル終端回路を備え、
前記光チャネル終端点を有するノードの経路入れ替え設定の前に、両端の切替先確認用光チャネル終端岐路間に切替先確認用光チャネルを導通するノード設定を行い、
光チャネルで規定された品質を切替先確認用光チャネルで満たしているかを確認し、前記品質を満たしていることを確認した後に、前記光チャネル終端点を有するノードの経路の入れ替え及び波長の入れ替えを行う、請求項７記載の波長多重通信網における網的切替方法。
【請求項９】
前記光チャネル終端点を有するノードの経路入れ替え、および出力波長設定を行う際に、
網的切替の発動トリガである警報検出停止あるいは、オペレーションシステムへの警報通知停止を行った後に、
前記光チャネル終端点を有するノードにおける経路の入れ替え及び出力波長の設定を行い、
停止設定した光チャネルの終端点の警報検出あるいは前記オペレーションシステムへの警報通知の停止を解除する請求項６乃至８記載の波長多重通信網における網的切替方法。
【請求項１０】
前記光チャネル終端点を有するノードの経路入れ替え及び出力波長設定を行う際に、
前記設定により、警報が検出され、オペレーションシステムに通知されることが自明な警報の警報検出停止あるいは、オペレーションシステムへの警報通知停止を行った後に、
前記光チャネル終端点を有するノードにおける経路の入れ替え及び出力波長の設定を行い、
停止設定した光チャネル終端点の警報検出あるいは、オペレーションシステムへの警報通知の停止を解除する請求項６乃至８記載の波長多重通信網における網的切替方法。
【請求項１１】
光チャネルが光チャネル終端点間に複数の光チャネル接続点を経由して接続され、
ノード間では複数の光チャネルが波長多重技術により伝送路に波長多重して伝達され、
光チャネル接続点を有するノードでは、波長毎に経路を入れ替えながら光チャネルが接続され、
両端の光チャネル終端点では、同一波長で光チャネルが接続され、
光チャネル単位で経路を再入れ替えすることで、該光チャネルを異なる経路に切り替える、及び、両端の光チャネル終端点では必要に応じて出力波長の設定を切り替える、網的切替手段を具備した波長多重通信網における網的切替装置であって、
網的切替時に、前記光チャネルの切替先の光チャネル接続点を有するノードにおける経路の入れ替え設定を行う入替設定手段と、
前記経路の入れ替え設定が正常終了したことを確認する設定確認手段を有し、
前記入替設定手段は、
前記設定確認手段において正常に終了したことを確認した後に、両端の光チャネル終端点を有するノードにおける経路の入れ替えを行う手段を有することを特徴とする網的切替装置。
【請求項１２】
前記入替設定手段において、前記両端の光チャネル終端点を有するノードにおける経路の入れ替え設定を行う前に、切替先の光チャネルが両端の光チャネル終端点を有するノード間で、予め決められた光チャネルの品質を満たしているか否かをチェックするチェック手段を更に有し、
前記入替設定手段は、
前記品質を満たしている場合に、両端の光チャネル終端点を有するノードにおける経路の入れ替え設定を行う手段を含む請求項１１記載の網的切替装置。
【請求項１３】
光チャネル終端点を有するノードは、１組以上の切替先確認用光チャネル終端回路を備え、
前記入替設定手段における、光チャネルを有するノードの経路入れ替え設定の前に、両端の切替先確認用光チャネル終端回路間に切替確認用光チャネルを導通するノード設定を行う手段を有し、
前記チェック手段は、
光チャネルで規定された品質を切替先確認用光チャネルで満たしているかを確認する手段を含み、
前記入替設定手段は、
前記チェック手段において、前記品質を満たしていることが確認された後に、前記光チャネル終端点を有するノードの経路入れ替えを行う手段を含む請求項１２記載の網的切替装置。
【請求項１４】
前記入替設定手段は、
前記光チャネル終端点を有するノードの経路入れ替え設定を行う際に、
前記網的切替の発動トリガである警報検出停止あるいは、オペレーションシステムへの警報通知停止を行った後に、
前記光チャネル終端点を有するノードにおける経路の入れ替えの設定を行い、停止した警報検出あるいは、前記オペレーションシステムへの警報通知の停止を解除する手段を含む請求項１１乃至１３記載の網的切替装置。
【請求項１５】
前記入替設定手段は、
前記光チャネル終端点を有するノードの経路入れ替え設定を行う際に、
前記経路入れ替え設定により、警報が検出され、オペレーションシステムに通知されることが自明な警報の警報検出停止あるいは、オペレーションシステムへの警報通知停止を行った後に、光チャネル終端点を有するノードにおける経路の入れ替えの設定を行う手段と、
停止設定した警報検出あるいは、前記オペレーションシステムへの警報通知停止を解除する手段を含む請求項１１乃至１３記載の網的切替装置。
【請求項１６】
光チャネルが光チャネル終端点間に複数の光チャネル接続点を経由して接続され、
ノード間では、複数の光チャネルが波長多重技術により伝送路に波長多重して伝達され、
光チャネル接続点を有するノードでは、波長毎に経路を入れ替えあるいは、必要に応じて出力波長を変更しながら光チャネルが接続され、
光チャネル単位で経路を再入れ替え及び必要に応じて出力波長を再設定することで、該光チャネルを異なる経路及び必要に応じて異なる波長に切り替える網的切替手段を具備した網的切替装置であって、
網的切替時には、前記光チャネルの切替先の光チャネル接続点を有するノードにおける経路の入れ替え及び出力波長の設定を行う第１の設定手段と、
切替経路上の光チャネル接続点を有するノードのすべてにおいて、経路の入れ替え設定及び出力波長の設定が正常終了したことを確認する確認手段と、
前記確認手段で前記経路の入れ替え設定及び出力波長の設定が正常終了したことが確認された後に、両端の光チャネル終端点を有するノードにおける経路の入れ替え設定及び波長の設定を行う第２の設定手段と、を有することを特徴とする網的切替装置。
【請求項１７】
前記第２の設定手段において、前記両端の光チャネル終端点を有するノードにおける経路の入れ替え設定及び前記出力波長の設定を行う前に、
切替先の光チャネルが両端の光チャネル終端点を有するノード間で、予め決められた光チャネルの品質を満たしているか否かをチェックするチェック手段を有し、
前記第２の設定手段は、
前記品質を満たしている場合に、前記両端の光チャネル終端点を有するノードにおける経路の入れ替え設定及び出力波長設定を行う手段を含む請求項１６記載の網的切替装置。
【請求項１８】
前記光チャネル終端点を有するノードは、１組以上の切替先確認用光チャネル終端回路を備え、
前記第２の設定手段は、
前記光チャネル終端点を有するノードの経路入れ替え設定の前に、両端の切替先確認用光チャネル終端岐路間に切替先確認用光チャネルを導通するノード設定を行う手段を有し、
前記チェック手段は、
光チャネルで規定された品質を切替先確認用光チャネルで満たしているかを確認する手段を含み、
前記第１の設定手段は、
前記チェック手段で品質が満たされていることが確認された後に、前記光チャネル終端点を有するノードの経路の入れ替え及び波長の入れ替えを行う、請求項１７記載の網的切替装置。
【請求項１９】
前記第２の設定手段は、
前記光チャネル終端点を有するノードの経路入れ替え、および出力波長設定を行う際に、
網的切替の発動トリガである警報検出停止あるいは、オペレーションシステムへの警報通知停止を行った後に、該光チャネル終端点を有するノードにおける経路の入れ替え及び出力波長の設定を行う手段と、
停止設定した光チャネルの終端点の警報検出あるいは前記オペレーションシステムへの警報通知の停止を解除する手段を含む請求項１６乃至１８記載の網的切替装置。
【請求項２０】
前記第２の設定手段は、
前記光チャネル終端点を有するノードの経路入れ替え及び出力波長設定を行う際に、
前記設定により、警報が検出され、オペレーションシステムに通知されることが自明な警報の警報検出停止あるいは、オペレーションシステムへの警報通知停止を行った後に、前記光チャネル終端点を有するノードにおける経路の入れ替え及び出力波長の設定を行う手段と、
停止設定した光チャネル終端点の警報検出あるいは、オペレーションシステムへの警報通知の停止を解除する手段を含む請求項１６乃至１８記載の網的切替装置。
【発明の詳細な説明】
【技術分野】
【０００１】
本発明は、波長多重通信網における網的切替方法および網的切替装置に係り、特に、波長多重技術を用いた光信号の伝送を行い、かつ途中のノードで波長ごとに経路を入れ換えながら、及び、ノード間で必要に応じて波長を変換し、伝送される波長多重通信網において、波長ごとに経路を再入れ替え及びノード間で必要に応じて波長を変換し、光信号の経路及び波長を入れ替える網的切替機構を具備した波長多重通信網における網的切替方法および網的切替装置に関する。
【背景技術】
【０００２】
図１７は、従来の波長多重通信網において、光チャネルの網的切替により正常に切り替えられないことを示すネットワーク図である。
【０００３】
同図に示すように、２つの光チャネルが設定されている。１つ目の光チャネル（以下、第１の光チャネル）は、光クロスコネクト装置１から光クロスコネクト装置２を介して光クロスコネクト装置３との間に設定され、２つ目の光チャネル（以下、第２の光チャネル）は、光クロスコネクト装置４から光クロスコネクト装置５を介して光クロスコネクト装置６との間に設定されている。同図では、説明を簡略化するため、光チャネルは光チャネル終端点間では、同一波長光チャネルの片方向の接続のみ示している。
【０００４】
波長多重通信網における故障・劣化に対してクライアント装置間のユーザトラフィックを救済するための切替、あるいはオペレータからの指令による切替のために、光チャネル生成時に予め図１７の点線で示した予備リソースが予約されている。ここで、予約とは、実際に光スイッチの設定を物理的に設定せず、該設定を予約のみすることを意味する。この予約により、図１７の光クロスコネクト装置７と光クロスコネクト装置８の間の波長を、第１の光チャネルの予備と第２の光チャネルの予備で共有することができる。このように適切に予備の経路及び波長を割り当てることにより、予備を単一の光チャネルで占有する光チャネル系切替（１＋１光チャネルプロテクション
）よりも少ない予備リソース（波長）で済み、高信頼でかつ経済的な波長多重通信網を実現できる。
【０００５】
上記切替として、切替先の光スイッチ設定を変更して光チャネルを切り替える網的切替を行う（例えば、特許文献１、非特許文献１参照）。
【０００６】
【特許文献１】特開２０００−１６８８７７号
【非特許文献１】「Demonstration of Fast Restoration for Distributed Control Plane onPhotonic Network」K.Shimono他、28th European conference on OpticalCommunication(ECOC), 7.4.2, Sep, 8-12,2002
【発明の開示】
【発明が解決しようとする課題】
【０００７】
通常の光チャネル生成時には、上流から順に光スイッチを設定していく、あるいは、下流から順に光スイッチを設定していく。これを光チャネルの網的切替における切替に採用した場合の問題点を以下に示す。
【０００８】
オペレータからの指示により光チャネルを切り替える場合、下流から光スイッチの設定を変更していく場合について図１7に沿って説明する。
【０００９】
網的切替管理制御部１００は、まず、光クロスコネクト装置３の光スイッチの設定を変更し、光クロスコネクト装置８の光スイッチの設定を変更する。この際に、光クロスコネクト装置８の光スイッチの出力ポートの故障、あるいは、スイッチ設定制御の故障により、設定できなかった場合には、切替先に切り替えてもユーザトラフィックの転送は不可能なため、光クロスコネクト装置３の設定を元に戻しても、光クロスコネクト装置３の光スイッチの設定を切替元から切り替えて元に戻すまでの間、ユーザトラヒックの転送はストップしている。また、切替先には、切替経路上の光クロスコネクト装置の設定が終了した後に両端の光チャネル終端部間に光信号が流れるため、切替設定が終了しないと切替によって光チャネルによりユーザ信号が規定された品質を満たせるか否かわからない。
【００１０】
また、一般に、光チャネルが規定された品質を満たしているか否かは、常時監視している。切替の際に光チャネルは断状態にあるため、光チャネル終端部において光チャネル故障を検出し、オペレーションシステムに通知する。
【００１１】
以上説明したように、従来の光通信網では、光チャネル網切替を備えた場合、切替先の正常性の確認ができないという問題がある。
【００１２】
本発明は、上記の点に鑑みなされたもので、切替先の正常性を確認し、切替先が異常であれば光チャネル終端点を有する光ノードの切替は行わず、全体として安定した網的切替機構を備えた波長多重通信網における網的切替方法及び網的切替装置を提供することを目的とする。
【課題を解決するための手段】
【００１３】
図１は、本発明の原理を説明するための図である。
【００１４】
本発明は、光チャネルが光チャネル終端点間に複数の光チャネル接続点を経由して接続され、
ノード間では複数の光チャネルが波長多重技術により伝送路に波長多重して伝達され、
光チャネル接続点を有するノードでは、波長毎に経路を入れ替えながら光チャネルが接続され、
両端の光チャネル終端点では、同一波長で光チャネルが接続され、
光チャネル単位で経路を再入れ替えすることで、該光チャネルを異なる経路に切り替える、及び、両端の光チャネル終端点では必要に応じて出力波長の設定を切り替える、網的切替機構を具備した波長多重通信網における網的切替方法において、
網的切替時に、
光チャネルの切替先の光チャネル接続点を有するノードにおける経路の入れ替え設定を行い（ステップ１）、
経路の入れ替え設定が正常終了したことを確認した（ステップ２）後に、両端の光チャネル終端点を有するノードにおける経路の入れ替えを行う（ステップ３）。
【００１５】
また、本発明は、両端の光チャネル終端点を有するノードにおける経路の入れ替え設定を行う前に、
切替先の光チャネルが両端の光チャネル終端点を有するノード間で、予め決められた光チャネルの品質を満たしているか否かをチェックし、
品質を満たしている場合に、両端の光チャネル終端点を有するノードにおける経路の入れ替え設定を行う。
【００１６】
また、本発明は、光チャネル終端点を有するノードは、１組以上の切替先確認用光チャネル終端回路を備え、
光チャネルを有するノードの経路入れ替え設定の前に、両端の切替先確認用光チャネル終端回路間に切替確認用光チャネルを導通するノード設定を行い、
光チャネルで規定された品質を切替先確認用光チャネルで満たしているかを確認し、品質を満たしていることを確認した後に、光チャネル終端点を有するノードの経路入れ替えを行う。
【００１７】
また、本発明は、光チャネル終端点を有するノードの経路入れ替え設定を行う際に、
網的切替の発動トリガである警報検出停止あるいは、オペレーションシステムへの警報通知停止を行った後に、
光チャネル終端点を有するノードにおける経路の入れ替えの設定を行い、
停止した警報検出あるいは、オペレーションシステムへの警報通知の停止を解除する。
【００１８】
また、本発明は、光チャネル終端点を有するノードの経路入れ替え設定を行う際に、
経路入れ替え設定により、警報が検出され、オペレーションシステムに通知されることが自明な警報の警報検出停止あるいは、オペレーションシステムへの警報通知停止を行った後に、
光チャネル終端点を有するノードにおける経路の入れ替えの設定を行い、
停止設定した警報検出あるいは、オペレーションシステムへの警報通知停止を解除する。
【００１９】
本発明は、光チャネルが光チャネル終端点間に複数の光チャネル接続点を経由して接続され、
ノード間では、複数の光チャネルが波長多重技術により伝送路に波長多重して伝達され、
光チャネル接続点を有するノードでは、波長毎に経路を入れ替えあるいは、必要に応じて出力波長を変更しながら光チャネルが接続され、
光チャネル単位で経路を再入れ替え及び必要に応じて出力波長を再設定することで、該光チャネルを異なる経路及び必要に応じて異なる波長に切り替える網的切替機構を具備した波長多重通信網における網的切替方法において、
網的切替時には、光チャネルの切替先の光チャネル接続点を有するノードにおける経路の入れ替え及び出力波長の設定を行い、
切替経路上の光チャネル接続点を有するノードのすべてにおいて、経路の入れ替え設定及び出力波長の設定が正常終了したことを確認した後に、両端の光チャネル終端点を有するノードにおける経路の入れ替え設定及び波長の設定を行う。
【００２０】
また、本発明は、両端の光チャネル終端点を有するノードにおける経路の入れ替え設定及び出力波長の設定を行う前に、
切替先の光チャネルが両端の光チャネル終端点を有するノード間で、予め決められた光チャネルの品質を満たしているか否かをチェックし、
品質を満たしている場合に、両端の光チャネル終端点を有するノードにおける経路の入れ替え設定及び出力波長設定を行う。
【００２１】
また、本発明は、光チャネル終端点を有するノードは、１組以上の切替先確認用光チャネル終端回路を備え、
光チャネル終端点を有するノードの経路入れ替え設定の前に、両端の切替先確認用光チャネル終端岐路間に切替先確認用光チャネルを導通するノード設定を行い、
光チャネルで規定された品質を切替先確認用光チャネルで満たしているかを確認し、品質を満たしていることを確認した後に、光チャネル終端点を有するノードの経路の入れ替え及び波長の入れ替えを行う。
【００２２】
また、本発明は、光チャネル終端点を有するノードの経路入れ替え、および出力波長設定を行う際に、
網的切替の発動トリガである警報検出停止あるいは、オペレーションシステムへの警報通知停止を行った後に、
光チャネル終端点を有するノードにおける経路の入れ替え及び出力波長の設定を行い、
停止設定した光チャネルの終端点の警報検出あるいはオペレーションシステムへの警報通知の停止を解除する。
【００２３】
また、本発明は、光チャネル終端点を有するノードの経路入れ替え及び出力波長設定を行う際に、
設定により、警報が検出され、オペレーションシステムに通知されることが自明な警報の警報検出停止あるいは、オペレーションシステムへの警報通知停止を行った後に、
光チャネル終端点を有するノードにおける経路の入れ替え及び出力波長の設定を行い、
停止設定した光チャネル終端点の警報検出あるいは、オペレーションシステムへの警報通知の停止を解除する。
【００２４】
図２は、本発明の原理構成図である。
【００２５】
本発明は、光チャネルが光チャネル終端点間に複数の光チャネル接続点を経由して接続され、
ノード間では複数の光チャネルが波長多重技術により伝送路に波長多重して伝達され、
光チャネル接続点を有するノードでは、波長毎に経路を入れ替えながら光チャネルが接続され、
両端の光チャネル終端点では、同一波長で光チャネルが接続され、
光チャネル単位で経路を再入れ替えすることで、該光チャネルを異なる経路に切り替える、及び、両端の光チャネル終端点では必要に応じて出力波長の設定を切り替える、網的切替手段を具備した波長多重通信網における網的切替装置であって、
網的切替時に、光チャネルの切替先の光チャネル接続点を有するノードにおける経路の入れ替え設定を行う入替設定手段と、
経路の入れ替え設定が正常終了したことを確認する設定確認手段を有し、
入替設定手段は、
設定確認手段において正常に終了したことを確認した後に、両端の光チャネル終端点を有するノードにおける経路の入れ替えを行い、網的切替を行う切替手段と、を有する。
【００２６】
また、本発明は、入替設定手段において、両端の光チャネル終端点を有するノードにおける経路の入れ替え設定を行う前に、切替先の光チャネルが両端の光チャネル終端点を有するノード間で、予め決められた光チャネルの品質を満たしているか否かをチェックするチェック手段を更に有し、
入替設定手段は、
品質を満たしている場合に、両端の光チャネル終端点を有するノードにおける経路の入れ替え設定を行う手段を含む。
【００２７】
また、本発明は、光チャネル終端点を有するノードは、１組以上の切替先確認用光チャネル終端回路を備え、
入替設定手段における、光チャネルを有するノードの経路入れ替え設定の前に、両端の切替先確認用光チャネル終端回路間に切替確認用光チャネルを導通するノード設定を行う手段を有し、
チェック手段は、
光チャネルで規定された品質を切替先確認用光チャネルで満たしているかを確認する手段を含み、
切替設定手段は、
チェック手段において、品質を満たしていることが確認された後に、光チャネル終端点を有するノードの経路入れ替えを行う手段を含む。
【００２８】
また、本発明は、入替設定手段において、
光チャネル終端点を有するノードの経路入れ替え設定を行う際に、
網的切替の発動トリガである警報検出停止あるいは、オペレーションシステムへの警報通知停止を行った後に、
光チャネル終端点を有するノードにおける経路の入れ替えの設定を行い、停止した警報検出あるいは、オペレーションシステムへの警報通知の停止を解除する手段を含む。
【００２９】
また、本発明の入替設定手段は、
光チャネル終端点を有するノードの経路入れ替え設定を行う際に、
経路入れ替え設定により、警報が検出され、オペレーションシステムに通知されることが自明な警報の警報検出停止あるいは、オペレーションシステムへの警報通知停止を行った後に、光チャネル終端点を有するノードにおける経路の入れ替えの設定を行う手段と、
停止設定した警報検出あるいは、オペレーションシステムへの警報通知停止を解除する手段を含む。
【００３０】
本発明は、光チャネルが光チャネル終端点間に複数の光チャネル接続点を経由して接続され、
ノード間では、複数の光チャネルが波長多重技術により伝送路に波長多重して伝達され、
光チャネル接続点を有するノードでは、波長毎に経路を入れ替えあるいは、必要に応じて出力波長を変更しながら光チャネルが接続され、
光チャネル単位で経路を再入れ替え及び必要に応じて出力波長を再設定することで、該光チャネルを異なる経路及び必要に応じて異なる波長に切り替える網的切替手段を具備した網的切替装置であって、
網的切替時には、光チャネルの切替先の光チャネル接続点を有するノードにおける経路の入れ替え及び出力波長の設定を行う第１の設定手段と、
切替経路上の光チャネル接続点を有するノードのすべてにおいて、経路の入れ替え設定及び出力波長の設定が正常終了したことを確認する確認手段と、
確認手段で経路の入れ替え設定及び出力波長の設定が正常終了したことが確認された後に、両端の光チャネル終端点を有するノードにおける経路の入れ替え設定及び波長の設定を行う第２の設定手段と、を有する。
【００３１】
また、本発明は、第２の設定手段において、両端の光チャネル終端点を有するノードにおける経路の入れ替え設定及び出力波長の設定を行う前に、
切替先の光チャネルが両端の光チャネル終端点を有するノード間で、予め決められた光チャネルの品質を満たしているか否かをチェックするチェック手段を有し、
第２の設定手段は、
品質を満たしている場合に、両端の光チャネル終端点を有するノードにおける経路の入れ替え設定及び出力波長設定を行う手段を含む。
【００３２】
また、本発明は、光チャネル終端点を有するノードは、１組以上の切替先確認用光チャネル終端回路を備え、
第２の設定手段は、
光チャネル終端点を有するノードの経路入れ替え設定の前に、両端の切替先確認用光チャネル終端岐路間に切替先確認用光チャネルを導通するノード設定を行う手段を有し、
チェック手段は、
光チャネルで規定された品質を切替先確認用光チャネルで満たしているかを確認する手段を含み、
第１の設定手段は、
チェック手段で品質が満たされていることが確認された後に、光チャネル終端点を有するノードの経路の入れ替え及び波長の入れ替えを行う。
【００３３】
また、本発明の第２の設定手段は、
光チャネル終端点を有するノードの経路入れ替え、および出力波長設定を行う際に、
網的切替の発動トリガである警報検出停止あるいは、オペレーションシステムへの警報通知停止を行った後に、該光チャネル終端点を有するノードにおける経路の入れ替え及び出力波長の設定を行う手段と、
停止設定した光チャネルの終端点の警報検出あるいはオペレーションシステムへの警報通知の停止を解除する手段を含む。
【００３４】
また、本発明の第２の設定手段は、
光チャネル終端点を有するノードの経路入れ替え及び出力波長設定を行う際に、
設定により、警報が検出され、オペレーションシステムに通知されることが自明な警報の警報検出停止あるいは、オペレーションシステムへの警報通知停止を行った後に、光チャネル終端点を有するノードにおける経路の入れ替え及び出力波長の設定を行う手段と、
停止設定した光チャネル終端点の警報検出あるいは、オペレーションシステムへの警報通知の停止を解除する手段を含む。
【発明の効果】
【００３５】
本発明により、光チャネルの切替先の経路上の、光チャネル接続点を有する光クロスコネクト装置の切替設定を予め行い、装置の設定及び光チャネルの光チャネル終端点を有するノード間での光チャネルの予め決められた品質を満たす場合時のみ、切替を行うため、切替先に切り替えた場合の光チャネルの品質を事前に確認できる。すなわち、光チャネルの品質を満たさない場合の、光チャネルとしての切替を未然に防止でき、網全体として安定した網的切替機構を備えた波長多重通信網を提供できる。
【００３６】
また、本発明は、ネットワークオペレータからの指示により網的切替機構を用いて、切替先に切り替える場合にも、同様の効果をもたらす。
【発明を実施するための最良の形態】
【００３７】
以下、図面と共に本発明の実施の形態を説明する。
【００３８】
以下の第１〜第３の実施の形態では、光チャネルがエンド・エンドで同一周波数で実現（切替元と切替先でエンド・エンド波長が異なる場合も含む）される例を示し、第４〜第６の実施の形態では、光チャネルがノード毎に必要に応じて波長変換を行う例を示す。
【００３９】
［第１の実施の形態］
図３は、本発明の第１の実施の形態における切替前の状態を示し、図４は、切替確認中の状態を示し、図５は、網的切替終了後の状態を示している。
【００４０】
それぞれの光クロスコネクト装置１〜８は、分波器と光スイッチとの間、及び光スイッチと合波器との間のそれぞれの光信号に対して、ＯＲ／ＯＳ(Optical Receiver/Optical Sender)から構成される再生中継部を配備している。例えば、光クロスコネクト装置１の構成では、分波器１１１と光スイッチ１４との間、及び光スイッチ１４と合波器１２１との間に、再生中継部１７１，再生中継部１８１から構成される再生中継部を有している。なお、光クロスコネクト装置の光スイッチの両端には、再生中継部が接続され、再生中継部は例えばＯＲ／ＯＳから構成される。
【００４１】
また、再生中継部は、ＯＲへの入力信号がある場合には、必要に応じて光チャネル信号フォーマットの一部に定義された一部の光チャネル監視バイトの終端あるいはモニタあるいは両者を行い、その信号を再生して再生中継部から出力する。
【００４２】
一方、ＯＲへの入力信号がない場合には、必要に応じて光チャネル信号フォーマットの一部に定義された光チャネル品質監視バイトを付加し、再生中継部の出力光信号として出力する。
【００４３】
図３に示すように、２つの光チャネルが設定されている。１つ目の光チャネル（以下、第１の光チャネル）は、光クロスコネクト装置１から光クロスコネクト装置２を介して光クロスコネクト装置３との間に設定され、２つ目の光チャネル（以下、第２の光チャネル）は、光クロスコネクト装置４から光クロスコネクト装置５を介して光クロスコネクト装置６との間に設定されている。
【００４４】
図３では、説明を簡略化するため、光チャネルは、光チャネル終端点間では同一波長光チャネルの片方向のみ示している。
【００４５】
波長多重通信網における故障・劣化に対してクライアント装置間のユーザトラフィックを救済するための切替、あるいはオペレータからの指令による切替のために、光チャネル生成時に予め図３の点線で示した予備リソースが予約されている。ここで、予約とは、実際に光スイッチの設定を物理的に設定せず、当該設定を予約のみすることを意味する。この予約により、図３の光クロスコネクト装置７と光クロスコネクト装置８の間の波長を、第１の光チャネルの予備と第２の光チャネルの予備で共有している。
【００４６】
第１の光チャネルに対して、故障・劣化の通知あるいは、オペレータからの指令により網的切替機構が行われる例を図４、図５を用いて説明する。
【００４７】
網的切替管理制御部１００−１は、光クロスコネクト装置７に切替先に経路を切り替えるように経路切替メッセージ１０７−１を、光クロスコネクト装置８に切替先に経路を切り替えるように経路切替メッセージ１０８−１を送信する。光クロスコネクト装置７と光クロスコネクト装置８はそれぞれ、光スイッチ７４と光スイッチ８４の設定を行い、所望の経路切替を行い、それぞれ、切替ができた場合には、「終了」、あるいは、切替ができなかった場合は「不可」、の内容の応答メッセージを網的切替管理制御部１００−１に返答する。
【００４８】
網的切替制御部１００−１は、光クロスコネクト装置７と光クロスコネクト装置８の少なくともいずれか一方から、「不可」の応答メッセージが返ってきた場合には、当該網的切替を中止する。
【００４９】
光クロスコネクト装置７と光クロスコネクト装置８の両者から、「終了」の応答メッセージが返答された場合、かつ、光クロスコネクト装置３における再生中継部において、光クロスコネクト装置１の再生中継部からの光信号を受信し、光チャネル品質監視バイトおよびその他の監視バイトを用いたチェックを行い、規定された品質を満たしている場合には、図５に示すように、網的切替管理制御部１００−１から、光クロスコネクト装置１に切替先に経路を切り替えるように経路切替メッセージ１０１−１を、光クロスコネクト装置３に切替先に経路を切り替えるよう経路切替メッセージ１０３−１を送信する。光クロスコネクト装置１と光クロスコネクト装置３はそれぞれ、光スイッチ１４と光スイッチ３４の設定を行い、所望の経路切替を行うことで、第１の光チャネルに対する網的切替は完了する。
【００５０】
なお、前述の経路切替メッセージ１０１−１と１０３−１には、必要に応じて波長切替情報を含め、光クロスコネクト装置１及び光クロスコネクト装置３の光チャネル終端部での送信波長を変え、切替元光チャネルの波長と、切替先光チャネルの波長が異なってもよい。
【００５１】
なお、本実施の形態においては、網的切替管理制御部１００−１は、ネットワークに単一で説明したが、網的切替管理制御部を各光クロスコネクト装置に分配配備し、経路切替等のメッセージを、この網的切替管理制御部間でメッセージ交換・転送により実現することも可能である。
【００５２】
［第２の実施の形態］
図６は、本発明の第２の実施の形態における切替前の状態を示し、図７は、切替確認中の状態を示し、図８は、網的切替終了後の状態を示している。
【００５３】
本実施の形態では、光クロスコネクト装置１と光クロスコネクト装置３に、それぞれ、切替先確認用の光チャネル終端部１３２，３３２を用いる点において、第１の実施の形態と異なる。
【００５４】
第１の光チャネルに対して、故障・劣化の通知あるいは、オペレータからの指令により、網的切替機構が行われる動作の例を図７、図８を用いて説明する。
【００５５】
網的切替管理制御部１００−２は、光クロスコネクト装置７に切替先に経路を切り替えるように経路切替メッセージ１０７−２を、光クロスコネクト装置８に切替先に経路を切り替えるように経路切替メッセージ１０８−２を送信する。光クロスコネクト装置７と光クロスコネクト装置８は、それぞれ、光スイッチ７４と光スイッチ８４の設定を行い、所望の経路切替を行い、それぞれ、切替ができた場合には、「終了」、あるいは、切替ができなかった場合は、「不可」の内容の応答メッセージを網的切替管理制御部１００−２へ返答する。
【００５６】
網的切替管理制御部１００−２は、光クロスコネクト装置７と光クロスコネクト装置８の少なくともいずれか一方から、「不可」の応答メッセージが帰ってきた場合には、当該網的切替を中止する。
【００５７】
また、網的切替制御部１００−２は、光クロスコネクト装置１に切替先確認用の光チャネル終端部１３１と再生中継部１８１とを接続するように経路を切り替える経路切替メッセージ１１１−２を、光クロスコネクト装置３に切替先確認用の光チャネル終端部と再生中継部とを接続するように経路を切り替える経路切替メッセージ１１３−２を送信する。
【００５８】
本設定後は、光クロスコネクト装置１の切替先確認用の光チャネル終端部と、光クロスコネクト装置３の切替先確認用の光チャネル終端部は、論理的に接続され、この両者において、予め規定された光チャネルの品質を満たしているか否かをチェックする。
【００５９】
チェックの結果、光チャネルの品質を満たしていない場合には、当該網的切替を中止する。
【００６０】
規定された品質を満たしている場合には、図８に示すように、網的切替管理制御部１００−２から光クロスコネクト装置１に切替先に経路を切り替えるように経路切替メッセージ１０１−２を、光クロスコネクト装置３に切替先に経路を切り替えるよう経路切替メッセージ１０２−２を送信する。光クロスコネクト装置１と光クロスコネクト装置３は、それぞれ、光スイッチ１４と光スイッチ３４の設定を行い、所望の経路切替を行うことで、第１の光チャネルに対する網的切替は完了する。
【００６１】
本実施の形態では、両端の光チャネル終端点を有する光クロスコネクト装置１及び光クロスコネクト装置３における、切替先の再生中継部の光スイッチ出力側の再生中継部１８２における入力部及び切替先の部の再生中継部の光スイッチ入力側の再生中継部３７２における出力部の動作確認ができる点が第１の実施の形態と異なる。
【００６２】
なお、本実施の形態の説明で用いた光クロスコネクト装置は、第１の実施の形態と同様に、分波器と光スイッチの間に再生中継器を、光スイッチと合波器の間に再生中継器を配備した光クロスコネクト装置であるが、前者あるいは後者の再生中継器あるいは、両者の再生中継器は備えなくてもよい。
【００６３】
なお、前述の経路切替メッセージ１０１−２と１０４−２には、必要に応じて波長切替情報を含め、光クロスコネクト装置１及び光クロスコネクト装置３の光チャネル終端部での送信波長を変えてもよい。
【００６４】
なお、本実施の形態においては、網的切替管理制御部１００−２は、ネットワークに単一で説明したが、網的切替管理制御部を各光クロスコネクト装置に分散配備し、経路切替等のメッセージを、この網的切替管理制御部間でのメッセージ交換・転送により実現することも可能である。
【００６５】
［第３の実施の形態］
図９は、本発明の第３の実施の形態における動作を説明するための図である。
【００６６】
前述の第１の実施の形態及び第２の実施の形態において、第１の光チャネルの網的切替発動トリガとなる両端の光チャネル終端点の警報検出停止あるいは、オペレーションシステムへの警報通知停止、あるいは、当該切替により予め想定される切替元の光チャネルの光チャネル接続点の警報検出停止、あるいは、オペレーションシステムへの警報通知停止、及び両者を行い（ステップ１０１）、光チャネル終端点を有するノードにおける経路の入替の設定を行い（ステップ１０２）、停止した第１の光チャネルの両端の光チャネル終端点、光チャネル接続点の警報検出停止解除あるいは、オペレーションシステムへの警報通知停止解除を行う（ステップ１０３）。
【００６７】
これにより、特に、ネットワークオペレータからの指令により、網的切替を行う際に、光チャネル終端点を有するノードにおける経路の入れ替え設定の際に発生する、光チャネルの光チャネル終端点間での通信断に伴う不要な警報の検出ならびに、オペレーションシステムへの不要な通知を抑止する。
【００６８】
なお、当該フローにおける警報検出停止あるいは、オペレーションシステムへの警報通知停止は、光チャネル終端点を有するノードにおける経路の入れ替えの設定処理との相対的な手順を示したものである。即ち、例えば、ネットワークオペレータからの指令による網的切替の場合には、当該停止設定は、ネットワークオペレータからの指令後から、実際に光チャネル終端点を有するノードにおける光スイッチの経路の入れ替えの設定までの任意の位置でよい。
【００６９】
また、本実施の形態においては、光チャネル終端点の警報が網的切替のトリガとなる場合には、前述の停止／停止解除の対象となる。さらに、前述の切替により予め想定される警報として、光チャネル接続点の警報を仮定したが、他の警報を含めてもよい。
【００７０】
［第４の実施の形態］
図１０は、本発明の第４の実施の形態における切替前の状態を示し、図１１は、切替確認中の状態を示し、図１２は、網的切替終了後の状態を示している。それぞれの図の光クロスコネクト装置１〜８は、分波器と光スイッチとの間に光信号をそれぞれに対して波長変換部を、光スイッチと合波器との間にそれぞれの光信号に対して再生中継部を配備している点において前述の第１の実施の形態と異なる。
【００７１】
例えば、図１０の光クロスコネクト装置１では、分波器１１１と光スイッチ１４の間に波長変換部１５１を、光スイッチ１４と合波器１２１の間に再生中継部１６１を有する。また、分波器１１２と光スイッチ１４の間に波長変換部１５２を、光スイッチ１４と分波器１２２の間に再生中継部１６２を有する。他の光クロスコネクト装置についても同様である。
【００７２】
また、各光クロスコネクト装置の波長変換部は、当該波長変換部への入力信号がある場合には、必要に応じて光チャネル信号フォーマットの一部に定義された一部の光チャネル監視バイトの終端あるいはモニタあるいは両者を行い、決められた波長で波長変換部から出力する。一方、当該波長変換部への入力信号がない場合には、必要に応じて光チャネル信号フォーマットの一部に定義された光チャネル品質管理バイトを付加し、波長変換部の出力光信号として出力する。
【００７３】
図１０に示すように、２つの光チャネルが設定されている。１つ目の光チャネル（以下第１の光チャネル）は、光クロスコネクト装置１から光クロスコネクト装置２を介して光クロスコネクト装置３との間に設定され、２つ目の光クロスコネクト（以下、第２の光チャネル）は、光クロスコネクト装置４から光クロスコネクト装置５を介して光クロスコネクト装置６との間に設定されている。
【００７４】
本実施の形態における光クロスコネクト装置は、前述の波長変換部を備えるため、波長毎に経路を入れ替え、あるいは、必要に応じて、出力波長を変更しながら光チャネルが接続される。図１０では、説明を簡略化するため、光チャネルは光チャネル終端点間では、同一波長光チャネルの片方向の接続のみ示している。
【００７５】
波長多重通信網における故障・劣化に対してクライアント装置間のユーザトラフィックを救済するための切替、あるいは、オペレータからの指令による切替のために、光チャネル生成時に予め図１０の点線で示した予備リソースが予約されている。ここで、予約とは、実際に光スイッチの設定を物理的に設定せず、当該設定を予約のみすることを意味する。
【００７６】
本実施の形態における光クロスコネクト装置は、前述の波長変換部を備えるため、波長毎に経路を入れ替え、あるいは、必要に応じて出力波長を変更しながら光チャネルが接続される切替光チャネルの設定が可能である。この予約により、図１０の光クロスコネクト装置７と光クロスコネクト装置８の間の波長を、第１の光チャネルの予備と第２の光チャネルの予備で共有している。
【００７７】
第１の光チャネルに対して、故障・劣化の通知あるいは、オペレータからの指示により網的切替機構が行われる動作の例を図１１及び図１２を用いて説明する。
【００７８】
網的切替管理制御部１００−３は、光クロスコネクト装置７に切替先に経路並びに出力波長を切り替えるように経路／波長切替メッセージ１０７−３を、光クロスコネクト装置８に切替先に経路並びに出力波長を切り替えるよう経路／波長切替メッセージ１０８−３を送信する。光クロスコネクト装置７と光クロスコネクト装置８は、それぞれ、光スイッチ７４、波長変換部７５１と光スイッチ８４、波長変換部８５２の設定を行い、それぞれ切替ができた場合には「終了」、あるいは、切替ができなかった場合は「不可」の内容の応答メッセージを網的切替管理制御部１００−３に返答する。
【００７９】
網的切替管理制御部１００−３は、光クロスコネクト装置７と光クロスコネクト装置８の少なくともいずれか一方から、「不可」の応答メッセージが返ってきた場合には、当該網的切替を中止する。
【００８０】
光クロスコネクト装置７と光クロスコネクト装置８の両者のうち、「終了」の応答メッセージが返答された場合、かつ、光クロスコネクト装置３における波長変換部３５２において、光クロスコネクト装置１の再生中継部１６２からの光信号を受信し、光チャネル品質監視バイトおよびその他の監視バイトを用いたチェックを行い、規定された品質を満たしている場合には、図１２に示すように網的切替管理制御部１００−３から、光クロスコネクト装置１に切替先に経路及び波長を切り替えるように経路／波長切替メッセージ１０１−３を、光クロスコネクト装置３に切替先に経路を切り替えるよう経路／波長切替メッセージ１０３−３を送信する。
【００８１】
光クロスコネクト装置１と光クロスコネクト装置３はそれぞれ、光スイッチ１４，波長変換部３５２と光スイッチ３４、波長変換部３５２の切替を行うことで、第１の光チャネルに対する網的切替は完了する。但し、光チャネル終端部１３１において、出力波長が可変出力を配備した場合には、必要に応じて、このときに光チャネル終端部１３１の出力波長を切替元の波長から変えるものとする。
【００８２】
なお、本実施の形態で説明に用いた光クロスコネクト装置は、分波器と光スイッチの間に波長変換部を備えた光クロスコネクト装置であるが、これに代えて、光スイッチと合波器との間に波長変換部を配備し、分波器と光スイッチとの間に再生中継部を配備してもよい。この場合、波長変換部の機能は、任意の入力波長に対して、固定の出力波長に変換することになる。
【００８３】
なお、本実施の形態においては、網的切替管理制御部１００−３は、ネットワークに単一で説明したが、網的切替管理制御部を各光クロスコネクト装置内に分散配備し、経路切替等のメッセージをこの網的切替管理制御部間でのメッセージ交換・転送により実現することも可能である。
【００８４】
［第５の実施の形態］
図１３は、本発明の第５の実施の形態における切替前の状態を示し、図１４は、切替確認中の状態を示し、図１５は、網的切替終了後の状態を示している。
【００８５】
また、光クロスコネクト装置１と光クロスコネクト装置３には、それぞれ、切替先確認用の光チャネル終端部を用いる点が、前述の第４の実施の形態と異なる。
【００８６】
第１の光チャネルに対して、故障・劣化の通知あるいは、オペレータからの指令により網的切替機構が行われる動作例を図１４と図１５を用いて説明する。
【００８７】
網的切替管理制御部１００−４は、光クロスコネクト装置７に切替先に経路及び波長を切り替えるように経路切替メッセージ１０７−４を、光クロスコネクト装置８に切替先に経路及び波長を切り替えるよう経路切替メッセージ１０８−４を送信する。光クロスコネクト装置７と光クロスコネクト装置８はそれぞれ、光スイッチ７４、波長変換部８５１，８５２と光スイッチ８４、波長変換部８５１の設定を行い、所望の経路・波長の切替を行い、それぞれ、切替ができた場合には「終了」、あるいは切替ができなかった場合は「不可」の内容の応答メッセージを網的切替管理制御部１００−４へ返答する。
【００８８】
網的切替管理制御部１００−４は、光クロスコネクト装置７と光クロスコネクト装置８の少なくともいずれか一方から、「不可」の応答メッセージが返ってきた場合には、当該網切替を中止する。
【００８９】
また、網的切替制御部１００−４は、光クロスコネクト装置１に切替先確認用の光チャネル終端部１３１と再生中継部１６１とを接続するように経路及び波長を切り替える経路／波長切替メッセージ１１１−４を、光クロスコネクト装置３に切替先確認用の光チャネル終端部３３１と再生中継部とを接続するように経路及び波長を切り替える経路／波長切替メッセージ１１３−４を送信する。
【００９０】
本設定後は、光クロスコネクト装置１の切替先確認用の光チャネル終端部１３１と光クロスコネクト装置３の切替先確認用の光チャネル終端部３３１は、論理的に接続され、この両者において、予め規定された光チャネルの品質を満たしているか否かをチェックする。
【００９１】
チェックの結果、光チャネルの品質を満たしていない場合には、当該網的切替を中止する。
【００９２】
規定された品質を満たしている場合には、図１５に示すように、網的切替管理制御部１００−４から、光クロスコネクト装置１に切替先に経路及び波長を切り替えるように経路／波長切替メッセージ１０１−４を、光クロスコネクト装置３に切替先に経路及び波長を切り替えるように、経路／波長切替メッセージ１０４−４を送信する。
【００９３】
光クロスコネクト装置１と光クロスコネクト装置３は、それぞれ、光スイッチ１４、光スイッチ３４、波長変換部３３１の切替を行うことで、第１の光チャネルに対する網的切替は完了する。但し、光チャネル終端部１３１において、出力波長が可変出力を配備した場合には、必要に応じて、このときに光チャネル終端部１３１の出力波長を切り替え、元の波長から変えるものとする。
【００９４】
本実施の形態では、両端の光チャネル終端点を１３１，３３１を有する光クロスコネクト装置１及び光クロスコネクト装置３における、切替先の再生中継部の光スイッチ出力側のＯＲ、切替先の波長変換部の光スイッチ入力側のＯＳ，の動作確認ができる点が前述の第４の実施の形態とは異なる。
【００９５】
なお、本実施の形態で説明に用いた光クロスコネクト装置は、第４の実施の形態と同様に、光スイッチと合波器の間に再生中継器を配備した光クロスコネクト装置であるが、再生中継器は備えなくてもよい。
【００９６】
なお、本実施の形態で説明に用いた光クロスコネクト装置は、分波器と光スイッチの間に波長変換部を備えた光クロスコネクト装置であるが、これに代えて光スイッチと合波器の間に波長変換部を配備してもよい。この場合、波長変換部の機能は、任意の入力波長に対して、固定の出力波長に変換することになる。
【００９７】
なお、本実施の形態で説明に用いた光チャネル終端点を有する光クロスコネクト装置１，及び３において、光クロスコネクト装置３の波長変換部３５１から自装置の切替先確認用の光チャネル終端部までの接続において、光スイッチ部１４，３４が入力波長により出力ポートが依存しない場合には、経路／波長切替メッセージ１１１−４，１１３−４には波長情報を含めない、あるいは経路／波長切替メッセージ１１１−４、１１３−４により波長変換部の出力波長の変換は物理的に行わないことも可能である。
【００９８】
なお、本実施の形態においては、網的切替管理制御部１００−４は、ネットワークに単一で説明したが、網的切替管理制御部を各光クロスコネクト装置に分配配備し、経路切替等のメッセージを、この網的切替管理制御部間でのメッセージ交換・転送により実現することも可能である。
【００９９】
［第６の実施の形態］
図１６は、本発明の第６の実施の形態を説明するための図である。
【０１００】
前述の第４の実施の形態及び第５の実施の形態において、第１の光チャネルの網的切替発動トリガとなる両端の光チャネル終端点の警報検出停止あるいは、オペレーションシステムへの警報通知停止、あるいは、当該切替により予め想定される切替元の光チャネルの光チャネル接続点の警報検出停止あるいは、オペレーションシステムへの警報通知停止、及び両者を行い（ステップ２０１）、光チャネル終端点を有するノードにおける経路／波長の入替の設定を行い（ステップ２０２）、停止した第１の光チャネルの両端の光チャネル終端点、光チャネル接続点の警報検出停止解除あるいは、オペレーションシステムへの警報通知停止解除、を行う（ステップ２０３）。
【０１０１】
これにより、特に、ネットワークオペレータからの指令により、網的切替を行う際に、光チャネル終端点を有するノードにおける経路／波長の入替設定の際に発生する、光チャネルの光チャネル終端点間での通信断に伴う不要な警報の検出並びに、オペレーションシステムへの不要な通知を抑止する。
【０１０２】
なお、本フローにおける両端の光チャネル終端点の警報検出停止あるいは、オペレーションシステムへの警報通知停止は、光チャネル終端点を有するノードにおける経路／波長の入替の設定処理との相対的な手順を示したものである。即ち、例えば、ネットワークオペレータからの指令による網的切替の場合には、前述の停止設定は、ネットワークオペレータの指令後から、実際に光チャネル終端点を有するノードにおける光スイッチの経路／波長の入れ替えの設定までの任意の位置でよい。
【０１０３】
また、本実施の形態においては、光チャネル終端点の警報が網的切替のトリガとなる場合の例であり、光チャネル接続点の警報等が網的切替のトリガとなる場合には、前述の停止／停止解除の対象とする。さらに、前述の当該切替により予め想定される警報として、光チャネル接続点の警報を仮定したが、他の警報を含めてもよい。
【０１０４】
なお、上記の各実施の形態における網的切替管理制御部１００の動作をプログラムとして構築し、網的切替管理制御部として利用されるコンピュータにインストールし、ＣＰＵ等の制御手段により実行する、または、ネットワークを介して流通させることが可能である。
【０１０５】
また、構築されたプログラムを網的切替管理制御部（装置）として利用されるコンピュータに接続されるハードディスク装置や、フレキシブルディスク、ＣＤ−ＲＯＭ等の可搬記憶媒体に格納しておき、本発明を実施する際に、当該コンピュータにインストールして実行することも可能である。
【０１０６】
なお、本発明は、上記の実施の形態に限定されることなく、特許請求の範囲内において種々変更・応用が可能である。
【産業上の利用可能性】
【０１０７】
本発明は、波長多重技術を用いた光信号の伝送を行い、かつ途中のノードで波長毎に経路を入れ替えながら、及びノード間で必要に応じて波長を変換し、伝送される波長多重通信網に利用可能である。
【図面の簡単な説明】
【０１０８】
【図１】本発明の原理を説明するための図である。
【図２】本発明の原理構成図である。
【図３】本発明の第１の実施の形態における切替前の状態を示す図である。
【図４】本発明の第１の実施の形態における切替確認中の状態を示す図である。
【図５】本発明の第１の実施の形態における網的切替終了後の状態を示す図である。
【図６】本発明の第２の実施の形態における切替前の状態を示す図である。
【図７】本発明の第２の実施の形態における切替確認中の状態を示す図である。
【図８】本発明の第２の実施の形態における網的切替終了後の状態を示す図である。
【図９】本発明の第３の実施の形態における動作を説明するための図である。
【図１０】本発明の第４の実施の形態における切替前の状態を示す図である。
【図１１】本発明の第４の実施の形態における切替確認中の状態を示す図である。
【図１２】本発明の第４の実施の形態における網的切替終了後の状態を示す図である。
【図１３】本発明の第５の実施の形態における切替前の状態を示す図である。
【図１４】本発明の第５の実施の形態における切替確認中の状態を示す図である。
【図１５】本発明の第５の実施の形態における網的切替終了後の状態を示す図である。
【図１６】本発明の第６の実施の形態における動作を説明するための図である。
【図１７】従来のネットワークを示す図である。
【符号の説明】
【０１０９】
１〜８  光クロスコネクト装置
１０，２０，３０，４０，５０，６０  クライアント装置
１１，２１，３１，４１，５１，６１，７１，８１  分波器
１２，２２，３２，４２，５２，６２，７２，８２  合波器
１３，２３，３３，４３，５３，６３  光チャネル終端部
１４，２４，３４，４４，５４，６４，７４，８４  光スイッチ
１５，２５，３５，４５，５５，６５，７５，８５  波長変換部
１６，２６，３６，４６，５６，６６，７６，８６  再生中継部
１００  網的切替管理制御部
１１０  入替設定手段
１２０  設定確認手段
１３０  網的切替手段
１０１，１０２，１０３，１０４，１０７，１０８，１１１，１１３  経路切替メッセージ
【図１】
2005033725.tif 000003
【図２】
2005033725.tif 000004
【図３】
2005033725.tif 000005
【図４】
2005033725.tif 000006
【図５】
2005033725.tif 000007
【図６】
2005033725.tif 000008
【図７】
2005033725.tif 000009
【図８】
2005033725.tif 000010
【図９】
2005033725.tif 000011
【図１０】
2005033725.tif 000012
【図１１】
2005033725.tif 000013
【図１２】
2005033725.tif 000014
【図１３】
2005033725.tif 000015
【図１４】
2005033725.tif 000016
【図１５】
2005033725.tif 000017
【図１６】
2005033725.tif 000018
【図１７】
2005033725.tif 000019